(57)【要約】【課題】髪型を巻き髪にセットする場合に便利な吸入式の電気アイロンを提供する。【解決手段】  螺旋状に形成され、内壁に電熱ユニットを設けてなり、上端にラッパ状の吸入口を備えてなる中空の管体と、該中空の管体に接続し、ハンドル状を呈し、内部に電気回路板を設けてなり、該電気回路板が中空の管体の電熱ユニットに接続し、底端が導管に接続するベースと、吸入力を調整するボタンを設けてなり、導管に接続する吸入力手段とを含んでなり、導管の一端に吸入力手段を接続し、吸入力手段の吸入力で吸入口から髪を管体の内部に吸入し、螺旋状の管体及び電熱ユニットの熱で巻き髪に髪をセットすることができ、髪のセット作業に便利な構造からなる。【選択図】  図4
0003125850.tif 000002
【実用新案登録請求の範囲】
【請求項１】
螺旋状に形成され、内壁に電熱ユニットを設けてなり、上端にラッパ状の吸入口を備えてなる中空の管体と、
該中空の管体に接続し、ハンドル状を呈し、内部に電気回路板を設けてなり、該電気回路板が中空の管体の電熱ユニットに接続し、底端が導管に接続するベースと、
吸入力を調整するボタンを設けてなり、導管に接続する吸入力手段とを含んでなり、導管の一端に吸入力手段を接続し、吸入力手段の吸入力で吸入口から髪を管体の内部に吸入し、螺旋状の管体及び電熱ユニットの熱で巻き髪に髪をセットすることができ、髪のセット作業に便利な構造からなることを特徴とするヘアーアイロン。
【請求項２】
前記ベースと導管が接続する部分に髪くず、もしくはその他のごみなどを遮断するネットを設けることを特徴とする請求項１に記載するヘアーアイロン。
【請求項３】
前記電気回路板の電源コードが吸入力手段の導管の内部に接続し、貫通して設けられているため、吸入力手段の電源コードと接続することを特徴とする請求項１に記載するヘアーアイロン。
【請求項４】
前記ベースに設けられた電気回路板がベースの外側表面に露出したスイッチと温度設定ボタンに接続し、電熱ユニットの開閉及び操作温度を設定することができる構造からなることを特徴とする請求項１に記載するヘアーアイロン。
【考案の詳細な説明】
【技術分野】
【０００１】
この考案は、ヘアーアイロンに関し、特に髪の毛を巻いて巻き髪に髪をセットすることができるヘアーアイロンに関する。
【背景技術】
【０００２】
髪を巻いて巻き髪にセットするヘアーアイロンは、図１に開示するように、金属棒１１と、該金属棒１１に貼着するように設けられた挟持部１２と、該金属棒１１の内部に設けられた電熱ユニットと、該金属棒１１の挟持部１２が設けられた端縁部に対向する一端に接続したハンドル１３とを含んでなる。
【０００３】
髪を巻きつける場合には、金属棒１１と挟持部１２により髪を挟んだ後、髪をひねり巻いた髪型を形成する。
【０００４】
しかしながら、従来のヘアーアイロンは使用上不便で、一般の人が巻き髪をセットする場合に、理想の髪型にセットすることが難しい。
【考案の開示】
【考案が解決しようとする課題】
【０００５】
この考案は、髪型を巻き髪にセットする場合に便利な吸入式のヘアーアイロンを提供することを課題とする。
【課題を解決するための手段】
【０００６】
そこで、本考案者は従来の技術に見られる欠点に鑑みて鋭意研究を重ねた結果、螺旋状に形成され、内壁に電熱ユニットを設けてなり、上端にラッパ状の吸入口を備えてなる中空の管体と、該中空の管体に接続し、ハンドル状を呈し、内部に電気回路板を設けてなり、該電気回路板が中空の管体の電熱ユニットに接続し、底端が導管に接続するベースと、吸入力を調整するボタンを設けてなり、導管に接続する吸入力手段とを含んでなり、導管の一端に吸入力手段を接続し、吸入力手段の吸入力で吸入口から髪を管体の内部に吸入し、螺旋状の管体及び電熱ユニットの熱で巻き髪に髪をセットすることができ、髪のセット作業に便利な構造によって課題を解決できる点に着眼し、かかる知見に基づいて本考案を完成させた。
【０００７】
以下、この考案について具体的に説明する。
請求項１に記載のヘアーアイロンは、螺旋状に形成され、内壁に電熱ユニットを設けてなり、上端にラッパ状の吸入口を備えてなる中空の管体と、該中空の管体に接続し、ハンドル状を呈し、内部に電気回路板を設けてなり、該電気回路板が中空の管体の電熱ユニットに接続し、底端が導管に接続するベースと、吸入力を調整するボタンを設けてなり、導管に接続する吸入力手段とを含んでなり、導管の一端に吸入力手段を接続し、吸入力手段の吸入力で吸入口から髪を管体の内部に吸入し、螺旋状の管体及び電熱ユニットの熱で巻き髪に髪をセットすることができ、髪のセット作業に便利な構造からなる。
【０００８】
請求項２に記載のヘアーアイロンは、請求項１におけるベースと導管が接続する部分に髪くず、もしくはその他のごみなどを遮断するネットを設ける。
【０００９】
請求項３に記載するヘアーアイロンは、請求項１における電気回路板の電源コードが吸入力手段の導管の内部に接続し、貫通して設けられているため、吸入力手段の電源コードと接続する。
【００１０】
請求項４に記載するヘアーアイロンは、請求項１におけるベースに設けられた電気回路板がベースの外側表面に露出したスイッチと温度設定ボタンに接続し、電熱ユニットの開閉及び操作温度を設定することができる構造からなる。
【考案の効果】
【００１１】
この考案によるへアーアイロンは、巻き髪に髪型をセットために便利で、専門的な技術のない人でもセットすることができる効果を有する。
【考案を実施するための最良の形態】
【００１２】
この考案は、髪型を巻き髪にセットする場合に便利な吸入式のヘアーアイロンであって、螺旋状に形成され、内壁に電熱ユニットを設けてなり、上端にラッパ状の吸入口を備えてなる中空の管体と、該中空の管体に接続し、ハンドル状を呈し、内部に電気回路板を設けてなり、該電気回路板が中空の管体の電熱ユニットに接続し、底端が導管に接続するベースと、吸入力を調整するボタンを設けてなり、導管に接続する吸入力手段とを含んでなり、導管の一端に吸入力手段を接続し、吸入力手段の吸入力で吸入口から髪を管体の内部に吸入し、螺旋状の管体及び電熱ユニットの熱で巻き髪に髪をセットすることができ、髪のセット作業に便利な構造と特徴を詳述するために具体的な実施例を挙げ、図示を参照にして以下に説明する。
【実施例】
【００１３】
図２、３、４に開示するように、この考案のヘアーアイロンは、螺旋状の中空の管体２１（金属製の材質）と、該管体２１の内壁に設けられた電熱ユニット２２と、該管体２１の上端に設けられたラッパ状の吸入口２３と、該吸入口２３に対向する下端に接続したハンドル上のベース２４とを含んでなる。
【００１４】
該ベース２４は、内側に電気回路板２５を設けてなり、該電気回路板２５は電熱ユニット２２に接続し、且つ電気回路板２５はベース２４の外側表面に露出して設けられたスイッチ２６と、温度設定ボタン２７とに接続し、該ベース２４の底端が導管２８に接続するとともに、該ベース２４と導管２８の接続部分にネット２９が設けられる。
【００１５】
吸入力手段３は、吸入力を調整するボタン３１が設けられ、導管２８に接続する。また、電気回路板２５の電源コードが吸入力手段３の導管２８内で接続して貫通するため、吸入力手段３の電源コード３２と接続される。
【００１６】
前述の組み合わせにより、吸入式のヘアーアイロン２を構成し、導管２８の一端が吸入力手段３に接続し、吸入力手段３の吸入力により髪が吸入口２３から管体２１の内部に吸入され、螺旋状の管体２１と電熱ユニット２２の熱により巻き髪に髪型をセットすることができるため、髪型のセットに非常に便利で、且つネット２９により髪、もしくはその他のごみなどが通過できないようになっているため、髪くず、もしくはその他のごみが吸入力手段３の内部に吸入されることを防ぐ。
【００１７】
図５に開示するように、髪型をセットする場合には、手で吸入式のヘアーアイロンの棒体２のベース２４部分を握り、導管２８の端縁部に吸入力手段３を接続し、温度設定ボタン２７で理想の温度に調節した後、スイッチ２６を操作して電熱ユニット２２の電源を入れ、吸入力を調節するボタン３１により吸入力手段３を作動すると、吸入力手段３の吸入力により髪が吸入口２３から管体２１の内部に吸入され、螺旋状の管体２１及び電熱ユニット２２の熱源により巻き髪に髪をセットすることができるため、髪をセットする作業に便利で、操作を簡単にすばやく行うことができる。
【００１８】
この考案の電気アイロンは、渦巻き上の中空の管体に、電熱ユニットを合わせた構造からなるため、髪型をセットする作業に便利で、操作が簡単ですばやく行うことができる。
【００１９】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の特許請求の範囲に属するものとする。
【図面の簡単な説明】
【００２０】
【図１】従来の電気アイロンを示した斜視図である。
【図２】この考案の電気アイロンを示した斜視図である。
【図３】図２に開示した電気アイロンの構造を示した説明図である。
【図４】この考案の電気アイロンの棒体と吸入力手段とを接続した状態を示した説明図である。
【図５】この考案の電気アイロンの使用状態を示した説明図である。
【符号の説明】
【００２１】
１１        金属棒
１２        挟持部
１３        ハンドル
２          吸入式の電気アイロン
２１        管体
２２        電熱ユニット
２３        吸入口
２４        ベース
２５        電気回路板
２６        スイッチ
２７        温度設定ボタン
２８        導管
２９        ネット
３          吸入力手段
３１        ボタン
３２        電源コード
【図１】
0003125850.tif 000003
【図２】
0003125850.tif 000004
【図３】
0003125850.tif 000005
【図４】
0003125850.tif 000006
【図５】
0003125850.tif 000007